(57)【要約】【課題】電動ステアリングロック装置を組立てる際に、ロックボディに同一方向から各種部品を組み込むことが可能で、これにより自動組み立てが可能な電動ステアリングロック装置の組立方法を提供する。【解決手段】車両のステアリングコラムポストの取り付け穴部に取り付けられるロックボディに対し、回転駆動力を発生させる駆動部、駆動部の回転駆動力により歯車機構を介して回転される回転シャフト、回転シャフトと螺合して回転することにより軸方向に移動されるロックストッパー、ロックストッパーの移動によりステアリングシャフトをロックするロック位置とロックを解除するアンロック位置との間で移動されるロックバー、及びロックストッパーとロックバーの間に介在して付勢力を付与する第１のバネと、を同一方向から組込む組込工程と、この組込工程の後に、回転シャフトとロックストッパーとを螺合させる螺合工程と、を有する電動ステアリングロック装置の組立方法とする。【選択図】図１
2008184055.tif 000002
【特許請求の範囲】
【請求項１】
車両のステアリングコラムポストの取り付け穴部に取り付けられるロックボディに対し、回転駆動力を発生させる駆動部、前記駆動部の前記回転駆動力により歯車機構を介して回転される回転シャフト、前記回転シャフトと螺合して回転することにより軸方向に移動されるロックストッパー、前記ロックストッパーの移動によりステアリングシャフトをロックするロック位置と前記ロックを解除するアンロック位置との間で移動されるロックバー、及び前記ロックストッパーと前記ロックバーの間に介在して付勢力を付与する第１のバネと、を同一方向から組込む組込工程と、
前記組込工程の後に、前記回転シャフトと前記ロックストッパーとを螺合させる螺合工程と、
を有することを特徴とする電動ステアリングロック装置の組立方法。
【請求項２】
前記組込工程は、前記ロックバー、前記第１のバネ、および前記ロックストッパーをサブアッセイとして予め仮組み立ての状態として、同一方向から前記ロックボディに対して組込むことを特徴とする請求項１に記載の電動ステアリングロック装置の組立方法。
【請求項３】
前記螺合工程は、前記ロックバーに外部から負荷をかけて前記第１のバネを介して前記ロックストッパーに前記回転シャフトと螺合する方向に負荷をかけると共に、前記回転シャフトを回転させることにより前記ロックバーと前記回転シャフトとを螺合させることを特徴とする請求項１に記載の電動ステアリングロック装置の組立方法。
【発明の詳細な説明】
【技術分野】
【０００１】
本発明は、自動車等の車両に適用される電動ステアリングロック装置の組立方法に関する。
【背景技術】
【０００２】
従来の電動ステアリングロック装置として、例えば、次のようなものがある。回転モータにより回転するウォームギア、ウォームギアの回転により回転するヘリカルギア、このヘリカルギアの回転と連動して動作するロックアームおよびカム、ステアリングシャフトに対してロック位置とアンロック位置との間で移動されるロックストッパーおよびロックバーがロックボディに収容された構成の電動ステアリングロック装置がある（例えば、特許文献１、２）。
【０００３】
この電動ステアリングロック装置は、回転モータを互いに逆方向に回転させることにより、ロックバーをステアリングシャフトに対してロック位置とアンロック位置との間で移動させる構成とされている。
【特許文献１】特開２００４−２３１１２３公報
【特許文献２】特開２００６−３６１０７公報
【発明の開示】
【発明が解決しようとする課題】
【０００４】
しかし、特許文献１等の電動ステアリングロック装置によれば、電動ステアリングロック装置を組立てる際に、例えば、ロックバーとヘリカルギア、ロックストッパ等とを異なる方向からロックボディに組み込む必要があり、同一方向から組立てることができなかった。従って、電動ステアリングロック装置を自動組み立てとすることは困難であり、組み立て時間を短縮して製造コストを低減させるには限界があるという問題があった。
【０００５】
本発明の目的は、電動ステアリングロック装置を組立てる際に、ロックボディに同一方向から各種部品を組み込むことが可能で、これにより自動組み立てが可能な電動ステアリングロック装置の組立方法を提供することにある。
【課題を解決するための手段】
【０００６】
［１］本発明は、上記目的を達成するために、車両のステアリングコラムポストの取り付け穴部に取り付けられるロックボディに対し、回転駆動力を発生させる駆動部、前記駆動部の前記回転駆動力により歯車機構を介して回転される回転シャフト、前記回転シャフトと螺合して回転することにより軸方向に移動されるロックストッパー、前記ロックストッパーの移動によりステアリングシャフトをロックするロック位置と前記ロックを解除するアンロック位置との間で移動されるロックバー、及び前記ロックストッパーと前記ロックバーの間に介在して付勢力を付与する第１のバネと、を同一方向から組込む組込工程と、前記組込工程の後に、前記回転シャフトと前記ロックストッパーとを螺合させる螺合工程と、を有することを特徴とする電動ステアリングロック装置の組立方法を提供する。
［２］前記組込工程は、前記ロックバー、前記第１のバネ、および前記ロックストッパーをサブアッセイとして予め仮組み立ての状態として、同一方向から前記ロックボディに対して組込むことを特徴とする上記［１］に記載の電動ステアリングロック装置の組立方法であってもよい。
［３］前記螺合工程は、前記ロックバーに外部から負荷をかけて前記第１のバネを介して前記ロックストッパーに前記回転シャフトと螺合する方向に負荷をかけると共に、前記回転シャフトを回転させることにより前記ロックバーと前記回転シャフトとを螺合させることを特徴とする上記［１］に記載の電動ステアリングロック装置の組立方法であってもよい。
【発明の効果】
【０００７】
本発明の実施の形態によれば、電動ステアリングロック装置を組立てる際に、ロックボディに同一方向から各種部品を組み込むことが可能で、これにより自動組立てが可能な電動ステアリングロック装置の組立方法を提供することが可能となる。
【発明を実施するための最良の形態】
【０００８】
（本発明の実施の形態）
図１は、自動車等の車両のステアリングコラムポスト１に装着される本発明の実施の形態に係る電動ステアリングロック装置１０の各構成部品の組立て関係を示す分解斜視図である。
【０００９】
図２は、ステアリングコラムポスト１に装着された状態のステアリングロック装置１０を示すもので、図１に示したステアリングロック装置１０の組立てられた状態における、回転シャフト３０等の中心線を含む断面を示す断面図である。
【００１０】
ステアリングロック装置１０は、ロックボディ２０、回転シャフト３０、ウォームホイール３１、ブッシュ４０、ロックストッパー５０、ロックバー６０、モータ７０、ウォームギア７１等の部品を有して構成されている。
【００１１】
ロックボディ２０は、ロックボディ本体２１とロックボディ蓋２２とを備えている。ロックボディ本体２１とロックボディ蓋２２は、所定の材料で形成されるが、例えば、マグネシウムダイキャスト、あるいは、アルミニウムダイキャストにより形成されている。ロックボディ本体２１は、ステアリングコラムポスト１の所定の位置に取付けられる。このロックボディ本体２１がステアリングコラムポスト１に取付けられた状態では、ロックボディ本体２１の略中央部から突出する後述するロックバー６０が、ステアリングシャフト５の回転をロックするロック位置とロックを解除するアンロック位置との間を移動することにより、ステアリングシャフト５の溝部５ａに係合又は非係合状態とできるよう構成されている。
【００１２】
ロックボディ本体２１とロックボディ蓋２２には、それぞれ後述するブッシュ４０が圧入により嵌合する穴部２１ａ、２２ａが形成されている。この穴部２１ａ、２２ａは、組み立て完了時にブッシュ４０の荷重受部４０ａが穴部２１ａ、２２ａの底に到達しない程度に深く形成されている。
【００１３】
回転シャフト３０には、中間部に、後述するロックストッパー５０に形成された雌ネジ部５０ａと螺合する雄ネジ部３０ａが形成され、また、ギアが形成されたウォームホイール３１が取り付けられている。端部３０ｂは、ブッシュ４０を介して各々ロックボディ本体２１とロックボディ蓋２２により回転摺動可能な状態で両端支持されている。
【００１４】
図３（ａ）、（ｂ）は、ブッシュ４０の平面図、側面図であり、（ｃ）は、（ａ）図におけるＡ−Ａ断面を示す断面図、（ｄ）は、（ｂ）図におけるＡ部拡大図である。また、図３（ｅ）は、ブッシュ４０をロックボディ本体２１またはロックボディ蓋２２の穴部２１ａ、２２ａに圧入した状態を示す平面図である。
【００１５】
ブッシュ４０は、ばね性を有する材質、例えば、ステンレス鋼により形成され、ロックボディ本体２１とロックボディ蓋２２と穴部２１ａ、２２ａに所定のはめあいで嵌合して装着されている。ブッシュ４０は、荷重受部４０ａ、取付爪部４０ｂ、軸受爪部４０ｃを有して形成されている。荷重受部４０ａは、回転シャフト３０の端部３０ｂとの接触面となっており、この接触面側から略垂直方向に各々３つの取付爪部４０ｂと軸受爪部４０ｃが交互に並んで突設されている。
【００１６】
取付爪部４０ｂは、ロックボディ本体２１またはロックボディ蓋２２に形成された穴部２１ａ、２２ａと圧入により嵌合できるように、荷重受部４０ａから取付爪部先端部４０ｄにかけて開いた形状とされている。例えば、各々の取付爪部先端部４０ｄは荷重受部４０ａにおける寸法よりも０．２ｍｍだけ外側へ傾斜している。また、図３（ｄ）に示すようにプレス加工時の抜き方向を図示矢印の方向にすることで穴部２１ａ、２２ａに圧入される面がカエリ面となり、シャープエッジ部４０ｅが穴部２１ａ、２２ａに食い込むことで容易には脱落しない形状とされている。
【００１７】
軸受爪部４０ｃは、回転シャフト３０を回転摺動可能な状態で支持するように、荷重受部４０ａから軸受爪部先端部４０ｆにかけて狭まる形状とされている。軸受爪部４０ｃは３つの爪部で回転シャフト３０の外周面を支持するが、例えば、各々の軸受爪部先端部４０ｆは荷重受部４０ａにおける寸法よりも０．１ｍｍだけ内側へ傾斜している。尚、軸受爪部先端部４０ｆの最先端の部分は、回転シャフト３０との組み立て作業を容易にするため、例えば、各々０．２ｍｍだけ外側へ傾斜している。
【００１８】
上記した回転シャフト３０は、回転シャフト３０の外周面が３つの軸受爪部４０ｃにより隙間なく回転摺動可能な状態で支持されていると共に、その端部３０ｂがブッシュ４０を介して各々ロックボディ本体２１とロックボディ蓋２２により隙間なくブッシュ４０の荷重受部４０ａと回転摺動可能な状態で接している。これにより、回転シャフト３０は、ラジアルおよびスラスト両方向に隙間なく回転摺動可能な状態で支持される。
【００１９】
ロックストッパー５０は、雌ネジ部５０ａで回転シャフト３０の雄ネジ部３０ａと螺合し、回転シャフト３０の回転により、回転シャフト３０の軸方向に移動可能とされている。ロックストッパー５０は、後述するロックバー６０と第１のバネ８０を介して連結されている。また、ロックストッパー５０が、ロックバー６０とステアリングシャフト５との非係合方向（アンロック方向）へ移動しすぎても、回転シャフト３０の雄ネジ部３０ａとロックストッパー５０の雌ネジ部５０ａとが螺合できるように、第１のバネ８０による付勢力と反対方向の付勢力をロックストッパー５０に付与するよう、第２のバネ８１がコントローラケース８４に備えられている。尚、ロックストッパー５０の下部には、ロックストッパー５０の位置をホールＩＣ８２で検知するためのマグネット８３が装着されている。
【００２０】
ロックバー６０は、第１のバネ８０を介してロックストッパー５０と連結され、回転シャフト３０の回転により、ステアリングシャフト５の溝部５ａに対して係合又は非係合状態となるようロック位置とアンロック位置との間を移動可能とされている。
【００２１】
駆動源としてのモータ７０は、コントローラケース８４、スペーサ８５を介してロックボディ本体２１に取り付けられ、モータ７０の軸にはウォームギア７１が装着され、このウォームギア７１は回転シャフト３０に取り付けられたウォームホイール３１と螺合している。これにより、モータ７０の回転は、ウォームギア７１およびウォームホイール３１を介して回転シャフト３０に伝達される。
【００２２】
（本発明の実施の形態に係る電動ステアリングロック装置の組立て方法）
ロックボディ本体２１に対して、同一方向から（図１では右側から）、ブッシュ４０、ロックバー６０、第１のバネ８０、ロックストッパー５０、回転シャフト３０、コントローラケース８４、第２のバネ８１、モータ７０、スペーサ８５、ブッシュ４０、ロックボディ蓋２２を組み込んで行く。
【００２３】
ここで、回転シャフト３０には予めウォームホイール３１が取り付けられているものとしている。また、ブッシュ４０を、ロックボディ本体２１とロックボディ蓋２２の穴部２１ａ、２２ａに取付爪部４０ｂの途中まで圧入して仮組み立ての状態とする、ブッシュ挿入工程を設けるのが好ましい。また、ロックバー６０、第１のバネ８０、ロックストッパー５０をサブアッセイとして予め仮組み立ての状態としておくのが好ましい。
【００２４】
図４（ａ）は、各部品が同一方向から組み込まれた状態で、ロックボディ本体２１に対してロックボディ蓋２２が接合して固定されていない状態である。一方、図４（ｂ）は、図４（ａ）で各部品が組み込まれた状態において、ロックボディ本体２１とロックボディ蓋２２を所定の位置関係となるよう両側から押し、ネジ等により固定して組み立てられた状態を示す図である。この工程により、回転シャフト３０の端部３０ｂがブッシュ４０の荷重受部４０ａを押しながらブッシュ４０が穴部２１ａ、２２ａに圧入され、回転シャフト３０の端部３０ｂとブッシュ４０の荷重受部４０ａとの間に隙間（スラストがた）がない状態で組み立てが行なわれる（回転シャフト組込み工程）。尚、この回転シャフト組込み工程後においても、ブッシュ４０の荷重受部４０ａは穴部２１ａ、２２ａの底には到達していない。
【００２５】
上記の工程（図４（ｂ））では、回転シャフト３０の雄ネジ部３０ａとロックストッパー５０の雌ネジ部５０ａとはまだ螺合していない、すなわち、空回り状態である。ここで、ロックバー６０の先端に外部から負荷をかけて第１のバネ８０を介してロックストッパー５０に回転シャフト３０と螺合する方向に負荷をかける。この状態で、ロックバー６０をステアリングシャフト５の溝部５ａに対して非係合状態となる方向に移動させるようにモータ７０を回転させることで、回転シャフト３０の雄ネジ部３０ａとロックストッパー５０の雌ネジ部５０ａとが螺合し、図２に示した組立て状態となる（螺合工程）。
【００２６】
以上の各工程により、電動ステアリングロック装置１０の組立てが完了し、この状態でステアリングコラムポスト１に装着することができる。
【００２７】
（本発明の実施の形態に係る電動ステアリングロック装置の作用）
ロックバー６０がステアリングシャフト５の溝部５ａに係合した状態（図２）において、「ＡＣＣ」、「ＯＮ」、「ＳＴＡＲＴ」等の位置へ車両のスイッチ操作をすると、モータ７０が所定の回転方向に回転し、ウォームホイール３１、回転シャフト３０、ロックストッパー５０を介してロックバー６０が駆動され、ロックバー６０とステアリングシャフト５の係合が解除されて非係合状態となる。この動作の過程で、モータ７０は、高速で回転（例えば、９６００ｒｐｍ）し、これにより、回転シャフト３０は反動により、その端部３０ｂとブッシュ４０の荷重受部４０ａと間で大きな力を受ける。しかし、端部３０ｂと荷重受部４０ａとは隙間なく回転摺動可能な状態で接しており、ガタのない状態であるので、上記の動作においても衝撃音等の異音を発生させることはない。また、ラジアル方向も同様である。また、ブッシュ４０は、例えば、ステンレス鋼により形成されているので、長期間の使用においても回転シャフト３０の回転による削れや磨耗等の問題は生じない。
【００２８】
図５は、ロックバー６０がステアリングシャフト５の溝部５ａに係合していない非係合状態を示す図である。ロックバー６０がステアリングシャフト５の溝部５ａと非係合の状態において、「ＬＯＣＫ」位置へ車両のスイッチ操作をすると、モータ７０が上記示した動作と反対の回転方向に回転し、ウォームホイール３１、回転シャフト３０、ロックストッパー５０、および第１のバネ８０を介してロックバー６０が駆動され、ロックバー６０とステアリングシャフト５の溝部５ａとが係合して係合状態となる。この場合においても、上記と同様に、回転シャフト３０は反動により、その端部３０ｂとブッシュ４０の荷重受部４０ａと間で大きな力を受けるが、端部３０ｂと荷重受部４０ａとは隙間なく回転摺動可能な状態で接しており、ガタのない状態であるので、上記の動作において衝撃音等の異音を発生させることはない。尚、溝部５ａの位置がロックバー６０の位置と合致していない場合は、ステアリングシャフト５の回転により溝部５ａの位置がロックバー６０の位置と合致した段階で第１のバネ８０の付勢力によりロックバー６０とステアリングシャフト５の溝部５ａとが係合することで係合状態となる。
【００２９】
（本発明の実施の形態による効果）
ロックバー６０の移動方向、回転シャフト３０の軸方向、回転シャフト３０の雄ネジ部３０ａとロックストッパー５０の雌ネジ部５０ａとの螺合による移動方向、第１のバネ８０および第２のバネ８１の付勢方向、ブッシュ４０の穴部２１ａ、２２ａへの圧入方向を同一方向としたので、これらの部品をロックボディ２０（ロックボディ本体２１とロックボディ蓋２２）に対して同一方向から組込むことができる。これにより、電動ステアリングロック装置１０の自動組立てが容易となる。
【００３０】
回転シャフト３０とロックストッパー５０をロックボディ本体２１に対して同一方向から組込んだ状態では、回転シャフト３０の雄ネジ部３０ａとロックストッパー５０の雌ネジ部５０ａとはまだ螺合していない、すなわち、空回り状態である。しかし、ロックバー６０の先端に負荷をかけて第１のバネ８０を介してロックストッパー５０に回転シャフト３０と螺合する方向に負荷をかけた状態で、ロックバー６０をステアリングシャフト５の溝部５ａに対して非係合状態となる方向に移動させるようにモータ７０を回転させることで、回転シャフト３０の雄ネジ部３０ａとロックストッパー５０の雌ネジ部５０ａとが螺合した状態とすることができる。すなわち、ロックボディ本体２１に対する組込み時には上記の回転シャフト３０およびロックストッパー５０を同一方向から組込むのみで、回転シャフト３０を回転させる必要がない。ロックボディ２０に必要な部品を全て組込んだ後に、回転シャフト３０の雄ネジ部３０ａとロックストッパー５０の雌ネジ部５０ａとの螺合工程を設ければよい。これにより、ロックボディ２０および電動ステアリングロック装置１０の自動組立てが可能となる。
【図面の簡単な説明】
【００３１】
【図１】図１は、自動車等の車両のステアリングコラムポスト１に装着される本発明の実施の形態に係る電動ステアリングロック装置１０の各構成部品の組立て関係を示す分解斜視図である。
【図２】図２は、ステアリングコラムポスト１に装着された状態のステアリングロック装置１０を示すもので、図１に示したステアリングロック装置１０の組立てられた状態における、回転シャフト３０等の中心線を含む断面を示す断面図である。
【図３】図３（ａ）、（ｂ）は、ブッシュ４０の平面図、側面図であり、（ｃ）は、（ａ）図におけるＡ−Ａ断面を示す断面図、（ｄ）は、（ｂ）図におけるＡ部拡大図である。また、図３（ｅ）は、ブッシュ４０をロックボディ本体２１またはロックボディ蓋２２の穴部２１ａ、２２ａに圧入した状態を示す平面図である。
【図４】図４（ａ）は、各部品が同一方向から組み込まれた状態で、ロックボディ本体２１に対してロックボディ蓋２２が接合して固定されていない状態である。図４（ｂ）は、図４（ａ）で各部品が組み込まれた状態において、ロックボディ本体２１とロックボディ蓋２２を所定の位置関係となるよう両側から押し、ネジ等により固定して組み立てられた状態を示す図である。
【図５】図５は、ロックバー６０がステアリングシャフト５の溝部５ａに係合していない非係合状態を示す図である。
【符号の説明】
【００３２】
１      ステアリングコラムポスト
５      ステアリングシャフト
５ａ    溝部
１０    ステアリングロック装置
２０    ロックボディ
２１    ロックボディ本体
２２    ロックボディ蓋
２１ａ、２２ａ  穴部
３０    回転シャフト
３０ａ  雄ネジ部
３０ｂ  端部
３１    ウォームホイール
４０    ブッシュ
４０ａ  荷重受部
４０ｂ  取付爪部
４０ｃ  軸受爪部
４０ｄ  取付爪部先端部
４０ｅ  シャープエッジ部
４０ｆ  軸受爪部先端部
５０    ロックストッパー
５０ａ  雌ネジ部
６０    ロックバー
７０    モータ
７１    ウォームギア
８０    第１のバネ
８１    第２のバネ
【図１】
2008184055.tif 000003
【図２】
2008184055.tif 000004
【図３】
2008184055.tif 000005
【図４】
2008184055.tif 000006
【図５】
2008184055.tif 000007